(57)【要約】【課題】本発明は、前面カバーをスライディング方式により移動させた状態でフィルタの交換や掃除を遂行することができ、前面カバーの震えを防止し、軟らかい昇降が具現できるようにした空気調和機を提供するためのものである。【解決手段】本発明の空気調和機は、本体の上部に設けられた吸入口と、吸入口の内側に設けられたフィルタと、本体の前面にスライディング方式により昇降するように装着された前面カバーと、前面カバーの装着のためのスライディング結合装置と、本体の前面に設けられ、上下に長さの長い金属部と、金属部に取り付けられた状態で前面カバーと共に昇降するように前面カバーの内面に設けられた磁石とを含む。【選択図】図１
2008180484.tif 000002
【特許請求の範囲】
【請求項１】
本体と、
前記本体の上部に設けられた吸入口と、
前記吸入口の内側に設けられたフィルタと、
前記本体の前面にスライディング方式により昇降するように装着された前面カバーと、
前記前面カバーの装着のためのスライディング結合装置と、
前記本体の前面に設けられて上下に長い金属部と、
前記金属部に取り付けられた状態で前記前面カバーと共に昇降するように前記前面カバーの内面に設けられた磁石と、
を含むことを特徴とする空気調和機。
【請求項２】
前記スライディング結合装置は、前記前面カバーの内面から突出する複数の結合部材と、
前記各結合部材の昇降案内のために、前記本体の前面に上下に長く形成された複数の結合溝と、
前記本体の前面の内側にかかるように前記各結合部材から横方向に突出する支持軸と、
を含むことを特徴とする請求項１記載の空気調和機。
【請求項３】
前記スライディング結合装置は、前記前面カバーを上昇させた状態で横方向に移動させる際、前記結合部材がかかって前記前面カバーの下降が防止できるように前記各結合溝の上部から横方向に延びた係止溝を含むことを特徴とする請求項２記載の空気調和機。
【請求項４】
前記スライディング結合装置は、前記前面カバーを前記本体に装着する際、前記各結合部材の支持軸が前記本体の内側に進入できるように、前記各結合溝の一側に設けられ、前記支持軸より大きい大きさを備える軸進入溝を含むことを特徴とする請求項２または３記載の空気調和機。
【請求項５】
前記前面カバーを完全に下降させる際、前記前面カバーの係止が維持できるように前記軸進入溝は前記結合溝の下段から上方に所定間隔離隔した位置に設けられたことを特徴とする請求項４記載の空気調和機。
【請求項６】
前記複数の結合溝は前記本体の前面の中央部分と前記本体の前面の両側に各々設けられ、
前記複数の結合部材は前記結合溝と対応する位置の前記前面カバーの内面に各々設けられ、
前記金属部は、前記本体の前面の中央部分に設けられ、前記磁石は前記前面カバーの中央部分に設けられたことを特徴とする請求項５記載の空気調和機。
【請求項７】
本体と、
前記本体の上部に設けられた吸入口と、
前記吸入口の内側に設けられたフィルタと、
前記本体の前面にスライディング方式により昇降するように装着された前面カバーと、
前記前面カバーの装着のためのスライディング結合装置と、
前記本体の前面に固定された磁石と、
前記磁石に取り付けられた状態で前記前面カバーと共に昇降するように前記前面カバーの内面に設けられて、上下に長い金属部と、
を含むことを特徴とする空気調和機。
【発明の詳細な説明】
【技術分野】
【０００１】
本発明は空気調和機に関し、より詳しくは、前面カバーをスライディング方式により開放できる空気調和機に関する。
【背景技術】
【０００２】
大韓民国公開特許公報１０−２００４−００４１４４４号には、本体の前面が開閉できる前面カバーを備えた空気調和機が開示されている。この空気調和機の前面カバーは、上部の両側に設けられた円弧形の結合部材が本体の前面のヒンジホールに回動可能に結合されることによって、上下に回動して開閉される。
【０００３】
本体のヒンジホール内には弾性片により支持されたヒンジ軸が設けられており、結合部材にはヒンジ軸にかかって固定される位置固定溝と前面カバーの開閉の際、回動を案内する案内溝が形成されている。本体のヒンジホールの下部には前面カバーを開ける時、開いた状態に維持できるように結合部材の下部を支持する支持段が設けられている。
【０００４】
したがって、この空気調和機は、前面カバーを上部に持ち上げれば回動しながら開いて、開いた状態で手を放すと結合部材の下段が支持段にかかりながら前面カバーが開いた状態に維持される。使用者はこの状態でフィルタを交換したりフィルタを掃除することができる。
【０００５】
しかしながら、このような空気調和機は、前面カバーを開閉する際、ヒンジ軸が結合部材の固定溝にかかったり、係止が解除されるため、開閉が不自然で、騒音が生じることがあった。
【０００６】
また、この空気調和機は、前面カバーを開放した状態で、結合部材が単に支持段に支持されることのみにより、前面カバーの開きが維持されるため、フィルタの交換や掃除を遂行する中に衝撃が加えられる場合、前面カバーが閉じられる問題があった。特に、最近の空気調和機は、美麗な見掛けの提供のために、前面カバーの素材としてガラスのような重量物を使用するため、前面カバーを開いた状態に維持することは困難であった。
【特許文献１】大韓民国公開特許公報１０−２００４−００４１４４４号
【発明の開示】
【発明が解決しようとする課題】
【０００７】
本発明はこのような問題点を解決するためのものであって、本発明の目的は、前面カバーをスライディング方式により移動させた状態でフィルタの交換や掃除を遂行することができるようにする空気調和機を提供することにある。
【０００８】
本発明の他の目的は、前面カバーの震えが防止でき、前面カバーの軟らかい昇降が具現できるようにする空気調和機を提供することにある。
【課題を解決するための手段】
【０００９】
このような目的を達成するための本発明に係る空気調和機は、本体の上部に設けられた吸入口と、前記吸入口の内側に設けられたフィルタと、前記本体の前面にスライディング方式により昇降するように装着された前面カバーと、前記前面カバーの装着のためのスライディング結合装置と、前記本体の前面に設けられて上下に長い金属部と、前記金属部に取り付けられた状態で前記前面カバーと共に昇降するように前記前面カバーの内面に設けられた磁石と、を含むことを特徴とする。
【００１０】
また、前記スライディング結合装置は、前記前面カバーの内面から突出する複数の結合部材と、前記各結合部材の昇降案内のために、前記本体の前面に上下に長く形成された複数の結合溝と、前記本体の前面の内側にかかるように前記各結合部材から横方向に突出する支持軸と、を含むことを特徴とする。
【００１１】
また、前記スライディング結合装置は、前記前面カバーを上昇させた状態で横方向に移動させる際、前記結合部材がかかって前記前面カバーの下降が防止できるように前記各結合溝の上部から横方向に延びた係止溝を含むことを特徴とする。
【００１２】
また、前記スライディング結合装置は、前記前面カバーを前記本体に装着する際、前記各結合部材の支持軸が前記本体の内側に進入できるように、前記各結合溝の一側に設けられ、前記支持軸より大きい大きさを備える軸進入溝を含むことを特徴とする。
【００１３】
また、本発明は、前記前面カバーを完全に下降させる際、前記前面カバーの係止が維持できるように前記軸進入溝は前記結合溝の下段から上方に所定間隔離隔した位置に設けられたことを特徴とする。
【００１４】
また、前記複数の結合溝は前記本体の前面の中央部分と前記本体の前面の両側に各々設けられ、前記複数の結合部材は前記結合溝と対応する位置の前記前面カバーの内面に各々設けられ、前記金属部は、前記本体の前面の中央部分に設けられ、前記磁石は前記前面カバーの中央部分に設けられたことを特徴とする。
【００１５】
また、本発明に係る空気調和機は、本体の上部に設けられた吸入口と、前記吸入口の内側に設けられたフィルタと、前記本体の前面にスライディング方式により昇降するように装着された前面カバーと、前記前面カバーの装着のためのスライディング結合装置と、前記本体の前面に固定された磁石と、前記磁石に取り付けられた状態で前記前面カバーと共に昇降するように前記前面カバーの内面に設けられて、上下に長い金属部と、を含むことを特徴とする。
【発明の効果】
【００１６】
以上、詳述したように、本発明に係る空気調和機は、前面カバーがスライディング結合装置により本体の前面に昇降可能に結合されるため、前面カバーを下部に移動させた状態でフィルタの交換や掃除を遂行することができる効果がある。したがって、従来より安定した条件でフィルタの交換及び掃除を遂行することができる。
【００１７】
また、本発明は、前面カバーの上昇及び下降状態と前面カバーの昇降過程で前面カバーの内面の磁石が本体の前面の金属部に取り付けられた状態を維持するため、前面カバーの震えや離脱が防止できるだけでなく、前面カバーを軟らかく昇降させることができる効果がある。
【発明を実施するための最良の形態】
【００１８】
以下、本発明に係る好ましい実施例を添付図面を参照しつつ詳細に説明する。
【００１９】
本発明に係る空気調和機は、図１及び図２に示すように、建物の壁に固定される後面部１１とこの後面部１１の前方に結合される前面部１２を含む本体１０を備える。本体１０の前面部１２の上側には室内空気の吸込のための吸入口１３が形成され、本体１０の前面部１２の下側には調和された空気が室内に吐出される吐出口１４が形成される。
【００２０】
本体１０内には空気の熱交換のための熱交換器１５と、空気の送風のための送風ファン１６が設けられる。送風ファン１６は、横流型ファンからなる。これは、送風ファン１６の動作により吸入口１３を介して吸入された空気が熱交換器１５を経ながら熱交換された後、吐出口１４を介して室内に供給できるようにしたものである。
【００２１】
本体１０の上部の吸入口１３の内側には吸入口１３を介して吸入される空気の異質物を漉してやるフィルタ１７が設けられる。フィルタ１７は、本体１０の前面の上部に設けられた入口１８を通じてスライディング方式により装着されるとか分離されることができる。
【００２２】
本体１０には本体１０の前面を覆う前面カバー２０が設けられる。前面カバー２０は本体１０の前面を遮ってやることで、美麗な見掛けを提供することができる。最近、このような前面カバー２０には美麗な見掛けの提供のためにガラスやアクリルなどからなる装飾パネル（図示していない）が装着されることもある。
【００２３】
前面カバー２０は、フィルタ１７の交換や掃除を遂行する時、フィルタ１７を本体１０から容易に分離できるように、本体１０の前面に上下にスライディング方式により移動可能に装着される。これは、図３に示すように、前面カバー２０を下部に移動させた状態でフィルタ１７の交換や掃除が遂行できるようにしたものである。
【００２４】
このような前面カバー２０の結合のために、前面カバー２０の内面と本体１０の前面にはスライディング結合装置３０が設けられる。スライディング結合装置３０は、図１に示すように、前面カバー２０の内面から突出する複数の結合部材３１と、結合部材３１が結合されるように本体１０の前面に設けられた複数の結合溝３２とを含む。
【００２５】
結合部材３１は、前面カバー２０の中央部分と両側の内面に各々上下に２つずつ一組をなす形態で設けられて、結合溝３２もこのような結合部材３１の位置に対応するように本体１０の前面に設けられる。各結合溝３２は、図５に示すように、結合部材３１の昇降が案内できるように上下方向に長く形成される。本体１０の前面の中央に位置する結合溝３２は、図４に示すように、前面カバー２０側の２つの結合部材３１が全て結合できるように、１つの溝が上部から下部まで長く形成された形態である。そして、各結合部材３１には、図６に示すように、本体１０の前面部１２の内側にかかることができるように、各結合部材３１から横方向に突出する支持軸３３が設けられる。
【００２６】
スライディング結合装置３０は、図７に示すように、前面カバー２０を上昇させた状態で（結合部材を上昇させた状態で）若干横方向（矢印Ａ方向）に移動させる際、各結合部材３１がかかって支持できるように、各結合溝３２の上部から横方向に延びた係止溝３４を備える。前面カバー２０を上昇させた状態で若干横方向に押してやることによって、前面カバー２０がかかって下降しないようにしたものである。
【００２７】
スライディング結合装置３０は、図５に示すように、本体１０の前方から前面カバー２０を装着する際、各結合部材３１の支持軸３３が本体１０の内側に進入できるように、各結合溝３２の下部位置に支持軸３３より大きい大きさで設けられた軸進入溝３５を備える。軸進入溝３５は、各結合溝３２の下段から上方に所定間隔（Ｌ）離隔した位置に設けられる。これは、前面カバー２０を完全に下降させて各結合部材３１が各結合溝３２の下段に位置する際、各支持軸３３が本体１０の前面部１２の内面にかかるようにすることによって、前面カバー２０が本体１０から離脱することを防止するためである。
【００２８】
本体１０の前面部１２の中央部分には、図１及び図４に示すように、上下方向に長さの長い金属部４１が設けられる。この金属部４１は、上下方向に長さの長い通常の金属棒や金属プレート形態で設けられ、上段と下段が本体１０の前面部１２に固定される。そして、このような金属部４１に取り付けられるように前面カバー２０の内面には磁石４２が固定される。
【００２９】
このような構成は、前面カバー２０を昇降させる際、磁石４２が金属部４１に取り付けられた状態で前面カバー２０が昇降するようにすることで、前面カバー２０の軟らかい昇降が可能にしたものである。また、磁石４２が金属部４１に取り付けられた状態を維持することによって、前面カバー２０を上昇または下降させた状態で、前面カバー２０の震えが防止できるようにしたものである。また、前面カバー２０の昇降過程でも前面カバー２０の揺れを防止して、前面カバー２０が本体１０から離脱することが防止できるようにしたものである。
【００３０】
図４の例は、金属部４１が本体の前面部１２に設けられ、磁石４２が前面カバー２０の内面に設けられた場合を示したものであるが、これに限るのでなく、金属部が前面カバーの内面に設けられ、磁石が本体の前面部に設けられることもできる。このような場合には、前面カバーと共に昇降する金属部が磁石に取り付けられた状態を維持するので、前記と同一な機能をすることができる。
【００３１】
次に、このような空気調和機の前面カバーの昇降及びフィルタの取替動作に関して説明する。
【００３２】
図２は、前面カバー２０が完全に上昇した状態である。この状態で、前面カバー２０を下降させる時は、まず前面カバー２０を横方向に若干押してやることによって、前面カバー２０の内側の結合部材３１が係止溝３４から外れて結合溝３２に位置するようにする。すなわち、図７に示すように、結合部材３１が矢印Ｂ方向に移動して係止溝３４から外れるようにすることで、前面カバー３２を下降させることができるようにする。そして、このような状態で前面カバー２０を下降させれば、結合部材３１が結合溝３２に沿って下降する。また、その時は前面カバー２０の内面の磁石４２が本体１０の金属部４１に取り付けられた状態を維持するので、前面カバー２０の震えが防止されると共に、軟らかい下降が可能である。前面カバー２０が完全に下降した状態では支持軸３３が本体１０の前面部１２の内面にかかった状態であるから、前面カバー２０が本体１０から離脱しない。
【００３３】
前面カバー２０が完全に下降すれば、図３に示すように、フィルタ１７の着脱のために本体１０の前面に形成された入口１８が露出される。したがって、使用者はフィルタ１７を前方に引いて分離することができる。フィルタ１７の掃除や取替を遂行した後には前面カバー２０を下降動作の逆順で動作させて閉じてやる。すなわち、前面カバー２０を上部に押した後、若干横方向に移動させることによって、前面カバー２０の内面の結合部材３１が係止溝３４に進入してかかるようにする。もちろん、このような動作を遂行する過程でも磁石４２は金属部４１に取り付けられた状態を維持するので、前面カバー２０の震えが防止されて、軟らかい閉じがなされる。前面カバー２０を上昇させる途中に止める場合にも磁石４２が金属部４１に取り付けられた状態を維持するので、前面カバー２０が離脱したり急に落下したりすることがない。
【図面の簡単な説明】
【００３４】
【図１】本発明に係る空気調和機の前面カバーの装着構造を示す分解斜視図である。
【図２】本発明に係る空気調和機の内部構成を示す断面図であって、前面カバーが閉じた状態を示す図である。
【図３】本発明に係る空気調和機の内部構成を示す断面図であって、前面カバーが下降した後、フィルタを分離する状態を示す図である。
【図４】本発明に係る空気調和機の金属部と磁石を示す斜視図である。
【図５】本発明に係る空気調和機の前面カバーの昇降のためのスライディング結合装置を示す斜視図であって、支持軸が軸進入溝を通じて本体の内面側に進入する状態を示す図である。
【図６】本発明に係る空気調和機の前面カバーの昇降のためのスライディング結合装置を示す斜視図であって、結合部材が結合溝に追って上昇した状態と支持軸が本体前面部の内面にかかった状態を示す図である。
【図７】本発明に係る空気調和機の前面カバーの昇降のためのスライディング結合装置を示す斜視図であって、結合部材が係止溝にかかった状態を示す図である。
【符号の説明】
【００３５】
１０    本体
１１    後面部
１２    前面部
１３    吸入口
１４    吐出口
１５    熱交換器
１６    送風ファン
１７    フィルタ
２０    前面カバー
３０    スライディング結合装置
３１    結合部材
３２    結合溝
３３    支持軸
３４    係止溝
３５    軸進入溝
４１    金属部
４２    磁石
【図１】
2008180484.tif 000003
【図２】
2008180484.tif 000004
【図３】
2008180484.tif 000005
【図４】
2008180484.tif 000006
【図５】
2008180484.tif 000007
【図６】
2008180484.tif 000008
【図７】
2008180484.tif 000009